【事件の表示】
　特願２０００−１１９７４５「遊技部品」拒絶査定不服審判事件〔平成１３年１０月３０日出願公開、特開２００１−３０００４８〕について、次のとおり審決する。
【結　論】
　本件審判の請求は、成り立たない。
【理　由】
１．手続の経緯・本願発明
　本願は、平成１２年４月２０日の特許出願であって、平成１５年１２月１日付けの拒絶査定に対して平成１６同年１月８日に審判請求がなされたものであり、その請求項１ないし１０に係る発明は、平成１５年１０月１４日付けの手続補正書によって補正された明細書及び出願当初の図面の記載からみて、本願の特許請求の範囲の請求項１ないし１０に記載された事項により特定されるとおりのものと認められるところ、請求項１に係る発明は次のものである。（以下、「本願発明」という。）
　　　　　　　　　　　　　　　　　　　　　　　　　　　　　　　　　
「相手側部材に形成された取付孔に相手側部材の前側から裏側に挿入される本体部と、本体部の一端部の全周に本体部の取付孔への挿入方向と交差する外側に突出したフランジとを備えた遊技部品において、本体部が相手側部材における取付孔まわりの厚さよりも大きな寸法に形成されたフランジからの奥行きを有し、本体部が相手側部材の前側から取付孔に挿入された場合、フランジが相手側部材の前面に接触し、本体部の下部が取付孔に接触し、本体部の上部と取付孔との間に隙間が形成され、この隙間における本体部の取付孔に対向する部分と相手側部材より裏側に突出した部分とにわたり弾性変形可能な凸部が設けられる一方、本体部が相手側部材の取付孔に挿入される以前における本体部の下面から凸部の上面までの縦方向寸法は取付孔の縦方向寸法よりも大きく形成されており、本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられることを特徴とする遊技部品。」
　　　　　　　　　　　　　　　　　　　　　　　　　　　　　　　　　 
２．引用発明
　これに対して、原査定の拒絶の理由に引用された、本願の出願前に頒布された刊行物である、下記の各刊行物にはそれぞれ次の発明が記載されている。
　　　　　　　　　　　　　　　　　　　　　　　　　　　　　　　　　
引用刊行物　　　　　　　　　　　　　　　　　　　　　　　　　　　　
　１．特開２０００−７０４５２号公報　　　　　　　　　　　　　　　
　２．特開平１０−９９４９２号公報
　　　　　　　　　　　　　　　　　　　　　　　　　　　　　　　　　
（１）特開２０００−７０４５２号公報
　特開２０００−７０４５２号公報（以下、「引用例１」という。）には、「盤面部品の取付構造」に関して、以下の記載がある。
1-a 「本発明は、入賞装置や風車等の盤面部品を遊技盤面に取り付けるための盤面部品の取付構造に関するものである。」（段落【０００１】）
1-b「・・・本発明の第１実施の形態として入賞装置１３の取付構造について説明する。該入賞装置１３は、・・・遊技盤４面に密着する取付基板１６の中央に横長の開口１７が形成され、該開口１７に前面側へ開閉自在に回動する開閉板１８が装着されている。・・・
　前記取付基板１６の裏面には前記開口１７を囲うように箱枠状の枠体２０が形成されている。該枠体２０は、合成樹脂材によって形成され、取付基板１６の裏面に突設される横長環状のリブ２１と、前面が開放すると共に前端外周縁が前記リブ２１に合致する箱体２２とからなる。・・・
　前記取付基板１６の裏面にはリブ２１の内周縁に沿って所定位置に後方へ突出する保持突起２３が複数設けられている。該各保持突起２３は大径部２３ａと小径部２３ｂとからなり、後端面に螺子孔２４が穿設されている。一方、前記箱体２２の後壁２２ａに前記各保持突起２３に対応位置して螺子挿通孔２５，２５…が設けられ、後側から各螺子挿通孔２５を介して各螺子孔２４にビス２６を螺合することにより箱体２２が固着される。」（段落【００１１】−【００１３】）
1-c「しかして、前記各保持突起２３の小径部２３ｂに、後記する取付孔３６内の段差部３７の角に係合する係合部材２７が設けられる。該係合部材２７は、遊技盤４より柔らかい素材、例えばゴムが使用され、側断面が三角形になるよう前側面と後側面とが対称をなす円錐形状に形成され、中央に前記小径部２３ｂが挿通される通孔２８が貫設されている。この際、前記前側面が前記段差部３７の角に係合する案内傾斜面２７ａとなる。・・・そして、前記小径部２３ｂに嵌合した状態ではその一部が前記枠体２０すなわち箱体２２の周壁に設けた欠切き２９に臨み、その外側面より外方へ張り出すようになっている。・・・」（段落【００１４】）
1-d「一方、前記遊技盤４に、前記入賞装置１３の枠体２０の外径サイズより一回り大きい取付孔３６が貫設されている。該取付孔３６の内周壁面３６ａには、その奥側に前記各係合部材２７，２７…に対応位置させ一部拡径する所要深さの段差部３７，３７…が複数形成されている。」（段落【００１６】）
1-e「次に、入賞装置１３の取付手順を説明する。入賞装置１３を・・・遊技盤４の前側に配置し、枠体２０を取付孔３６へ嵌入させる。枠体２０が取付孔３６へ押し込まれると、各係合部材２７が内周壁面３６ａに押されて収縮し、・・・各係合部材２７が各段差部３７に至り形状復元してそれらの後方へ傾斜する各案内傾斜面２７ａが各段差部３７の角に係合する。・・・このように入賞装置１３は取付孔３６に押し込むのみで容易に取り付けられる。この際、各係合部材２７の復元弾性力によって入賞装置１３には大きな抜去力が与えられ、遊技盤４の厚み寸法に誤差が有ったり、各段差部３７の位置にズレが生じていても、弾性変形することによりこれら寸法誤差が吸収されるので、入賞装置１３が外れにくくしっかりと固定され、しかもガタつくこともない。」（段落【００１７】）
　　　　　　　　　　　　　　　　　　　　　　　　　　　　　　　　　
  上記の記載より、引用例１（特開２０００−７０４５２号公報）には次の発明（以下、「引用発明１」という）が記載されていると認められる。
「入賞装置１３は、遊技盤４面に密着する取付基板１６の中央に横長の開口１７が形成され、取付基板１６の裏面には前記開口１７を囲うように箱枠状の枠体２０が形成されており、該枠体２０は、合成樹脂材によって形成され、取付基板１６の裏面に突設される横長環状のリブ２１と、前面が開放すると共に前端外周縁が前記リブ２１に合致する箱体２２とからなり、前記取付基板１６の裏面にはリブ２１の内周縁に沿って所定位置に後方へ突出する保持突起２３が複数設けられ、各保持突起２３は大径部２３ａと小径部２３ｂとからなり、後端面に螺子孔２４が穿設され、一方、前記箱体２２の後壁２２ａに前記各保持突起２３に対応位置して螺子挿通孔２５，２５…が設けられ、後側から各螺子挿通孔２５を介して各螺子孔２４にビス２６を螺合することにより箱体２２が固着され、前記各保持突起２３の小径部２３ｂに、取付孔３６内の段差部３７の角に係合する係合部材２７が設けられ、該係合部材２７は、遊技盤４より柔らかい素材、例えばゴムが使用され、側断面が三角形になるよう前側面と後側面とが対称をなす円錐形状に形成され、中央に前記小径部２３ｂが挿通される通孔２８が貫設されており、前記前側面が前記段差部３７の角に係合する案内傾斜面２７ａとなり、前記小径部２３ｂに嵌合した状態ではその一部が前記枠体２０すなわち箱体２２の周壁に設けた欠切き２９に臨み、その外側面より外方へ張り出すようになっており、前記遊技盤４に、前記入賞装置１３の枠体２０の外径サイズより一回り大きい取付孔３６が貫設され、該取付孔３６の内周壁面３６ａには、その奥側に前記各係合部材２７，２７…に対応位置させ一部拡径する所要深さの段差部３７，３７…が複数形成され、入賞装置１３の取付手順は、入賞装置１３を遊技盤４の前側に配置し、枠体２０を取付孔３６へ嵌入させ、枠体２０が取付孔３６へ押し込まれると、各係合部材２７が内周壁面３６ａに押されて収縮し、各係合部材２７が各段差部３７に至り形状復元してそれらの後方へ傾斜する各案内傾斜面２７ａが各段差部３７の角に係合するものであり、このように入賞装置１３は取付孔３６に押し込むのみで容易に取り付けられ、この際、各係合部材２７の復元弾性力によって入賞装置１３には大きな抜去力が与えられ、遊技盤４の厚み寸法に誤差が有ったり、各段差部３７の位置にズレが生じていても、弾性変形することによりこれら寸法誤差が吸収されるので、入賞装置１３が外れにくくしっかりと固定され、しかもガタつくこともない、盤面部品の取付構造。」　　　　　　　　
　　　　　　　　　　　　　　　　　　　　　　　　　　　　　　　　　
（２）特開平１０−９９４９２号公報
　特開平１０−９９４９２号公報（以下、「引用例２」という。）には、「遊技機部品取付構造」に関して、以下の記載がある。
2-a「ランプ風車１は、風車支持部２と、風車部７と、を備えており、風車支持部２が、遊技盤面板３１へ取り付けられる構造となっている。風車支持部２には、四つのスリット４で４等分に分割した円筒形状の側壁板３がある。側壁板３には、外周のスリット４の両脇に当たる部分へ同一高さに形成した複数の逆止爪１７が、最下段に形成され、突っ張り部１５が、上位三段に形成されている。側壁板３の外径Ｄ１は、取付孔３２の内径Ｄ２より小さく、逆止爪１７の先端径Ｄ４は、取付孔３２の内径Ｄ２よりも大きく、突っ張り部１５の先端径Ｄ３は、取付孔３２の内径Ｄ２より僅かに大きく形成されている。」（第１頁【解決手段】、図１）
2-b「本発明は遊技機へ遊技機部品を取り付けるための遊技機部品取付構造に関するものである。」（段落【０００１】）
2-c「・・・風車支持部の上板部５の底部と逆止爪１７の上面側１７ｂとの間の長さＬ１は、遊技盤面板の厚みの長さＬ２に対して僅かに短く形成されている。」（段落【００２２】）
2-d「ランプ風車１を遊技盤面板３１へ取り付けるには、まず、取付孔３２の中心と風車支持部２の中心とを合わせる。そして、ランプ風車１の上板部５の辺りを押すようにして、取付孔３２へ上板部５の底部が遊技盤面板３１に達するまで押し込み取り付ける。このとき、側壁板３の逆止爪１７と突っ張り部１５とが、取付孔３２の縁部に押し付けられる。よって、側壁板３は、弾性変形して半径方向へたわむので強く押し込まなくても取り付けられる。また、逆止爪１７は、弾性変形するのであるが、テーパ面１７ａを形成してあるから、弾性変形を助け、取付方向へ進みやすくなっている。突っ張り部１５も第１テーパ面１５ａが形成してあるから、取付方向へ進みやすくなっている。・・・
　そして、ランプ風車１を取り付け終ると、逆止爪１７は、遊技盤面板３１を通り抜けるため、弾性復帰して常時の形状に戻る。また、側壁板３も弾性復帰するので、常時の形状に戻ろうとする。しかし、突っ張り部１５が取付孔３２へ押し付けられたままとなり、その圧力により側壁板３は、半径方向へたわむ。そして、ランプ風車１は、側壁板３がたわむことにより芯出しされるので、芯出しする必要がない。また、ランプ風車１は、風車支持部２が、遊技盤面板３１の厚みよりも長いので、突っ張り部１５が取付孔３２の内径全面へ偏りなく押し付けられるから半径方向へずれたり、揺れたりすることもなく、遊技盤面板３１へ固定した状態の安定性もよい。さらに、上板部５の底部と逆止爪１７の上面側１７ｂとの間に遊技盤面板３１を挟み込む。すなわち、上板部５の底部と逆止爪１７の上面側１７ｂとの間の長さＬ１は、遊技盤面板３１の厚みの長さＬ２よりも僅かに短いので、十分に長手方向に対する固定がなされるため、長手方向へずれたり、揺れたりすることもない。しかも、上板部５は、皿を伏せた形状に形成されているので、弾性変形してたわむことで、遊技盤面板３１をしっかりと挟み込むことができる。」（段落【００２５】【００２６】）
　　　　　　　　　　　　　　　　　　　　　　　　　　　　　　　　　
  上記の記載より、引用例２（特開平１０−９９４９２号公報）には次の発明（以下、「引用発明２」という）が記載されていると認められる。
「ランプ風車１は、風車支持部２と、風車部７と、を備え、風車支持部２が、遊技盤面板３１へ取り付けられる構造となっており、風車支持部２には、四つのスリット４で４等分に分割した円筒形状の側壁板３があり、側壁板３には、外周のスリット４の両脇に当たる部分へ同一高さに形成した複数の逆止爪１７が最下段に形成され、突っ張り部１５が上位三段に形成されており、側壁板３の外径Ｄ１は、取付孔３２の内径Ｄ２より小さく、逆止爪１７の先端径Ｄ４は、取付孔３２の内径Ｄ２よりも大きく、突っ張り部１５の先端径Ｄ３は、取付孔３２の内径Ｄ２より僅かに大きく形成され、風車支持部の上板部５の底部と逆止爪１７の上面側１７ｂとの間の長さＬ１は、遊技盤面板の厚みの長さＬ２に対して僅かに短く形成されており、ランプ風車１を遊技盤面板３１へ取り付けるには、ランプ風車１の上板部５の辺りを押すようにして、取付孔３２へ上板部５の底部が遊技盤面板３１に達するまで押し込み取り付けるものであり、このとき、側壁板３の逆止爪１７と突っ張り部１５とが、取付孔３２の縁部に押し付けられ、側壁板３は、弾性変形して半径方向へたわみ、逆止爪１７は、テーパ面１７ａを形成してあるから、弾性変形を助け、ランプ風車１を取り付け終ると、逆止爪１７は、遊技盤面板３１を通り抜けるため、弾性復帰して常時の形状に戻り、また、ランプ風車１は、風車支持部２が、遊技盤面板３１の厚みよりも長いので、突っ張り部１５が取付孔３２の内径全面へ偏りなく押し付けられるから半径方向へずれたり、揺れたりすることもなく、遊技盤面板３１へ固定した状態の安定性もよく、さらに、上板部５の底部と逆止爪１７の上面側１７ｂとの間の長さＬ１は、遊技盤面板３１の厚みの長さＬ２よりも僅かに短いので、上板部５の底部と逆止爪１７の上面側１７ｂとの間に遊技盤面板３１を挟み込み、十分に長手方向に対する固定がなされる、遊技機部品取付構造。」
　　　　　　　　　　　　　　　　　　　　　　　　　　　　　　　　　
３．対比・判断 　 　 
　本願発明と引用発明１とを対比すると、両者はともに「取付孔」を備え、引用発明１における「盤面部品」は本願発明における「遊技部品」に対応しており、同様に、「取付孔へ嵌入」は「取付孔に挿入」に、「形状復元」は「弾性的に復元」に、それぞれ対応しており、さらに引用発明１について次のことがいえる。
　　　　　　　　　　　　　　　　　　　　　　　　　　　　　　　　　
(i) 引用発明１は、「入賞装置１３を遊技盤４の前側に配置し、枠体２０を取付孔３６へ嵌入させ」（摘示1-e）るもので、上記「入賞装置１３」は、その機能に照らすと本願発明における「本体部」に対応するものであり、「入賞装置１３」が「前側」から裏側に「嵌入」（本願発明における「挿入」に対応する。）される「遊技盤４」は本願発明における「相手側部材」に対応するものである。
　そうすると、引用発明１は、本願発明を特定する「相手側部材に形成された取付孔に相手側部材の前側から裏側に挿入される本体部」の事項に対応する構成を備えている。
　　　　　　　　　　　　　　　　　　　　　　　　　　　　　　　　　
(ii) 引用発明１における「盤面部品」（「遊技部品」）に含まれる「入賞装置１３」（「本体部」）は、「遊技盤４面に密着する取付基板１６」（摘示1-b）を備えており、引用例１の図２ないし５からも明らかなように、該「取付基板１６」は、「入賞装置１３」の一端部の全周に設けられているとともに、「入賞装置１３」の「取付孔」への「嵌入」（「挿入」）方向と交差する外側に突出して設けられており、その機能に照らすと、本願発明における「フランジ」に対応するものである。
　そうすると、引用発明１は、本願発明を特定する「本体部の一端部の全周に本体部の取付孔への挿入方向と交差する外側に突出したフランジとを備えた遊技部品」の事項に対応する構成を備えている。
　　　　　　　　　　　　　　　　　　　　　　　　　　　　　　　　　
(iii) 引用発明１における「入賞装置１３」を構成する「枠体２０」は、「取付基板１６の裏面に突設される横長環状のリブ２１と、前面が開放すると共に前端外周縁が前記リブ２１に合致する箱体２２とからな」（摘示1-b）るものであり、引用例１の図５等からも明らかなように、上記「取付基板１６」（「フランジ」）から上記「箱体２２」までの奥行きは、「遊技盤４」（「相手側部材」）に「貫設され」た「取付孔３６」（摘示1-d）まわりの厚さよりも大きな寸法に形成されている。
　そうすると、引用発明１は、本願発明を特定する「本体部が相手側部材における取付孔まわりの厚さよりも大きな寸法に形成されたフランジからの奥行きを有し」の事項に対応する構成を備えている。
　　　　　　　　　　　　　　　　　　　　　　　　　　　　　　　　　
(iv) 上記(ii)に記載したように、引用発明１における「入賞装置１３」は「取付基板１６」（「フランジ」）を備えており、「入賞装置１３」（「本体部」）が「遊技盤４」（「相手側部材」）の前側から「取付孔３６」に「嵌入」（「挿入」）された場合、「取付基板１６」（「フランジ」）が「遊技盤４面」に「密着する」（摘示1-b）ことで、「遊技盤４」（「相手側部材」）の前面に接触するものである。
　そうすると、引用発明１は、本願発明を特定する「本体部が相手側部材の前側から取付孔に挿入された場合、フランジが相手側部材の前面に接触し」の事項に対応する構成を備えている。
　　　　　　　　　　　　　　　　　　　　　　　　　　　　　　　　　
(v) 引用発明１における「入賞装置１３の取付」は、「各係合部材２７」が「取付孔３６」の「内周壁面３６ａに押されて収縮」し、「各段差部３７に至り形状復元し」て「各段差部３７の角に係合」し、「各係合部材２７の復元弾性力によって入賞装置１３には大きな抜去力が与えられ」るとともに「入賞装置１３が外れにくくしっかりと固定され、しかもガタつくこともない」（摘示1-e）ものである。
　さらに引用例１の特に図４及び５を参照して、上記「入賞装置１３」の下部に配された「係合部材２７」と、「取付孔３６」との関係をみると、上記「係合部材２７」が「取付孔３６」の「内周壁面３６ａに押されて収縮」し、「係合部材２７」の弾性反発力によって、「入賞装置１３」は「取付孔３６」の上方壁面に押しつけられて上部が「取付孔３６」に接触し、「入賞装置１３」の下部と「取付孔３６」との間に隙間が形成され、この隙間における「入賞装置１３」の「取付孔３６」に対向する部分と「遊技盤４」の「段差部３７」とにわたり弾性変形可能な上記「係合部材２７」が設けられるものであり、該「係合部材２７」は「入賞装置１３」より「取付孔３６」に向かって突出しており、その機能に照らすと、本願発明における「凸部」に対応するものといえる。また、上記「段差部３７」は、垂直面を備えることで「遊技盤４」の「取付孔３６」に「段差」を形成し、「係合部材２７」は上記した隙間における「入賞装置１３」の「取付孔３６」に対向する部分と「遊技盤４」の「段差部３７」の垂直面側に突出した部分とにわたり設けられるものということができる。
　以上をまとめると、引用発明１は、「（入賞装置１３が遊技盤４の前側から取付孔に嵌入された場合）入賞装置１３（「本体部」）の上下方向における一方が取付孔３６に接触し、入賞装置１３（「本体部」）の上下方向における他方と取付孔３６との間に隙間が形成され、この隙間における入賞装置１３（「本体部」）の「取付孔３６」に対向する部分と遊技盤４（「相手側部材」）の垂直面側に突出した部分とにわたり弾性変形可能な係合部材２７（本願発明における「凸部」に対応する。）が設けられる」ものであるということができる。
　一方、本願発明は、「（本体部が相手側部材の前側から取付孔に挿入された場合）本体部の下部が取付孔に接触し、本体部の上部と取付孔との間に隙間が形成され、この隙間における本体部の取付孔に対向する部分と相手側部材より裏側に突出した部分とにわたり弾性変形可能な凸部が設けられる」ものであり、「（本体部が相手側部材の前側から取付孔に挿入された場合）本体部の上下方向における一方が取付孔に接触し、本体部の上下方向における他方と取付孔との間に隙間が形成され」るものであると包括的に表現することができるとともに、「凸部」が「相手側部材より裏側に突出した部分」は、「相手側部材」の「裏側」は事実上垂直面を形成していることから、上記「凸部」は、上記「隙間」における「本体部」の「取付孔に対向する部分」と「相手側部材」の垂直面側に突出した部分とにわたり設けられるものであるといえる。
　そうすると、本願発明と引用発明１とは、「（本体部が相手側部材の前側から取付孔に挿入された場合）本体部の上下方向における一方が取付孔に接触し、本体部の上下方向における他方と取付孔との間に隙間が形成され、この隙間における本体部の取付孔に対向する部分と相手側部材の垂直面側に突出した部分とにわたり弾性変形可能な凸部が設けられる」点で共通しているといえる。
　　　　　　　　　　　　　　　　　　　　　　　　　　　　　　　　　
(vi) 引用発明１における「入賞装置１３」の縦方向寸法は、「係合部材２７」の下面から「入賞装置１３」の上面までの寸法であり、該「入賞装置１３」を「遊技盤４」の「取付孔３６へ嵌入させ」ると、「各係合部材２７が内周壁面３６ａに押されて収縮」（摘示1-e）することから、「入賞装置１３」が「遊技盤４」の「取付孔３６」に「嵌入」される以前における「係合部材２７」の下面から「入賞装置１３」の上面までの縦方向寸法は「取付孔３６」の縦方向寸法よりも大きく形成されており、これを、「入賞装置１３（「本体部」）が遊技盤４（「相手側部材」）の取付孔３６に嵌入（「挿入」）される以前における入賞装置１３（「本体部」）の上下方向における上記取付孔に接触する面から係合部材２７（「凸部」）の上下方向における先端面までの縦方向寸法は取付孔３６の縦方向寸法よりも大きく形成されて」いると包括的に表現することができる。
　一方、本願発明は、「本体部が相手側部材の取付孔に挿入される以前における本体部の下面から凸部の上面までの縦方向寸法は取付孔の縦方向寸法よりも大きく形成されて」いるものであり、「本体部が相手側部材の取付孔に挿入される以前における本体部の上下方向における上記取付孔に接触する面から凸部の上下方向の先端面までの縦方向寸法は取付孔の縦方向寸法よりも大きく形成されて」いると包括的に表現することができる。
　そうすると、本願発明と引用発明１とは、「本体部が相手側部材の取付孔に挿入される以前における本体部の上下方向における上記取付孔に接触する面から凸部の上下方向における先端面までの縦方向寸法は取付孔の縦方向寸法よりも大きく形成されて」いる点で共通しているといえる。
　　　　　　　　　　　　　　　　　　　　　　　　　　　　　　　　　
(vii) 上記(v)に記載したように、引用発明１は、「入賞装置１３」が取付孔に「嵌入」された場合、「係合部材２７」の「入賞装置１３」と取付孔との間に存在する部分が「取付孔３６」の「内周壁面３６ａ」より受ける押圧力で「収縮し」、当該「係合部材２７」の「遊技盤４」の「段差部３７」側に突出した部分が形状復元して、実質的に「取付孔３６」周りの「入賞装置１３」の「段差部３７」に突出する膨出部を形成するものであり、上記「段差部３７」は、垂直面を備えることで「遊技盤４」の「取付孔３６」に「段差」を形成するものである。そして、「係合部材２７」の復元弾性力によって「入賞装置１３」には「大きな抜去力が与えられる」（摘示1-e）ことから、「入賞装置１３」の前面に設けられた「取付基板１６」と上記膨出部とが「入賞装置１３」を前後で挟み付ける形態となって、「盤面部品」である「入賞装置１３」が「遊技盤４」に取付けられるものである。
　以上をまとめると、引用発明１は、「入賞装置１３」（「本体部」）が取付孔に「嵌入」（「挿入」）された場合、「係合部材２７」（「凸部」）の「入賞装置１３」（「本体部」）と取付孔との間に存在する部分が取付孔の「内周壁面３６ａ」（「壁面」）より受ける押圧力で「収縮し」（「撓み」）、当該「係合部材２７」（「凸部」）の「遊技盤４」（「相手側部材」）の垂直面側に突出した部分が弾性的に復元して取付孔周りの「遊技盤４」（「相手側部材」）の垂直面の側に突出する膨出部を形成し、「取付基板１６」（「フランジ」）と膨出部とが「遊技盤４」（「相手側部材」）を前後で挟み付ける形態となって、「盤面部品」（「遊技部品」）が「遊技盤４」（「相手側部材」）に取付けられる「盤面部品」（「遊技部品」）であるといえる。
　一方、本願発明は、「本体部が取付孔に挿入された場合、凸部の本体部と取付孔との間に存在する部分が取付孔の壁面より受ける押圧力で撓み、当該凸部の相手側部材より裏面側に突出した部分が弾性的に復元して取付孔周りの相手側部材の裏面の側に突出する膨出部を形成し、フランジと膨出部とが相手側部材を前後で挟み付ける形態となって、遊技部品が相手側部材に取付けられる遊技部品」であり、上記(v)に記載したように、「相手側部材」の「裏側」は事実上垂直面を形成しており、「相手側部材より裏側に突出した部分」に設けられた「凸部」は、「凸部の相手側部材の垂直面側に突出した部分」と表現することができるとともに、「取付孔周りの相手側部材の裏面の側に突出する膨出部」は「取付孔周りの相手側部材の垂直面の側に突出する膨出部」と表現することができる。
　そうすると、本願発明と引用発明１とは、「本体部が取付孔に挿入された場合、凸部の本体部と取付孔との間に存在する部分が取付孔の壁面より受ける押圧力で撓み、当該凸部の相手側部材の垂直面側に突出した部分が弾性的に復元して取付孔周りの相手側部材の垂直面の側に突出する膨出部を形成し、フランジと膨出部とが相手側部材を前後で挟み付ける形態となって、遊技部品が相手側部材に取付けられる遊技部品」である点で共通しているといえる。
　　　　　　　　　　　　　　　　　　　　　　　　　　　　　　　　　
　以上の事項より、本願発明と引用発明１とは以下の点で一致し、また、相違していると認められる。
一致点；
　相手側部材に形成された取付孔に相手側部材の前側から裏側に挿入される本体部と、本体部の一端部の全周に本体部の取付孔への挿入方向と交差する外側に突出したフランジとを備えた遊技部品において、本体部が相手側部材における取付孔まわりの厚さよりも大きな寸法に形成されたフランジからの奥行きを有し、本体部が相手側部材の前側から取付孔に挿入された場合、フランジが相手側部材の前面に接触し、本体部の上下方向における一方が取付孔に接触し、本体部の上下方向における他方と取付孔との間に隙間が形成され、この隙間における本体部の取付孔に対向する部分と相手側部材の垂直面側に突出した部分とにわたり弾性変形可能な凸部が設けられる一方、本体部が相手側部材の取付孔に挿入される以前における本体部の上下方向における上記取付孔に接触する面から凸部の上下方向における先端面までの縦方向寸法は取付孔の縦方向寸法よりも大きく形成されており、本体部が取付孔に挿入された場合、凸部の本体部と取付孔との間に存在する部分が取付孔の壁面より受ける押圧力で撓み、当該凸部の相手側部材の垂直面側に突出した部分が弾性的に復元して取付孔周りの相手側部材の垂直面の側に突出する膨出部を形成し、フランジと膨出部とが相手側部材を前後で挟み付ける形態となって、遊技部品が相手側部材に取付けられる遊技部品、である点。
　　　　　　　　　　　　　　　　　　　　　　　　　　　　　　　　　
相違点；
(A) (A-1) 本体部の上下方向における一方が取付孔に接触し、本体部の上下方向における他方と取付孔との間に隙間が形成される、本体部と取付孔との接触の関係が、本願発明においては、本体部の下部が取付孔に接触し、本体部の上部と取付孔との間に隙間が形成されるものであるのに対して、引用発明１においては、入賞装置（本体部）の上部が取付孔に接触し、入賞装置（本体部）の下部と取付孔との間に隙間が形成されるものであり、　　　
　　(A-2) 本体部が相手側部材の取付孔に挿入される以前における本体部の上下方向における取付孔に接触する面から凸部の上下方向における先端面までの縦方向寸法が、本願発明においては、本体部の下面から凸部の上面までの縦方向寸法であるのに対して、引用発明１においては、係合部材（凸部）の下面から入賞装置（本体部）の上面までの縦方向寸法である点。
　　　　　　　　　　　　　　　　　　　　　　　　　　               
(B) 相手側部材の垂直面が、本願発明においては相手側部材の裏面であるのに対して、引用発明１においては遊技盤（相手側部材）の取付孔に設けた段差部である点。
　　　　　　　　　　　　　　　　　　　　　　　　　　　　　　　　　
　上記の相違点について検討する。
　相違点(A)について
　相違点(A-1)をさらにみると、遊技盤などの相手側部材に形成された取付孔に、フランジを備えた入賞装置などの本体部を、相手側部材の前側から裏側に挿入して、本体部を相手側部材に取付ける遊技部品において、本願発明は、本体部の下部が取付孔に接触し、本体部の上部と取付孔との間に隙間が形成されるものであるのに対して、引用発明１は、本体部の上部が取付孔に接触し、本体部の下部と取付孔との間に隙間が形成されるものであり、本体部の上下方向における取付孔への接触と隙間の形成との関係が互いに逆の関係にある点で両者は相違するものである。
　そこで検討するに、遊技盤などの相手側部材に形成された取付孔に、フランジを備えた入賞装置などの本体部を、相手側部材の前側から裏側に挿入して、本体部を相手側部材に取付ける遊技部品において、本体部の下部を取付孔に接触させ、本体部の上部と取付孔との間に隙間を形成して両者の位置決めをした上で、ねじ止め等の固着手段により本体部を相手側部材に固定することは、例えば下記に参考例として示すように当業者にとって自明な技術手段である。
　そして、当該技術手段を熟知した当業者が引用発明１に接したとき、本体部と取付孔との接触と隙間の形成による両者の関係を、互いに逆の関係に改変することは通常試みることである。そうすると、引用発明１は、「入賞装置」（「本体部」）の下部が「取付孔」に接触し、「入賞装置」（「本体部」）の上部と「取付孔」との間に隙間が形成されることとなるから、相違点(A-1)は単なる設計の変更にすぎない。
　また、相違点(A-2)をさらにみると、引用発明１における「本体部」（「入賞装置」）が「相手側部材」（「遊技盤４」）の取付孔に挿入される以前における縦方向寸法は、上記したように、「本体部」（「入賞装置」）の上下方向における取付孔に接触する面から凸部（「係合部材」）の上下方向における先端面までと規定され、本願発明における縦方向寸法と実体的な差異はない。しかし、相違点(A-1)の検討において記載したように、本願発明と引用発明１とは本体部の上下方向における取付孔への接触と隙間の形成との関係が互いに逆の関係にあるために、縦方向寸法の規定の仕方に表現上の差が生じている。そして上記したように、本体部と取付孔との接触と隙間の形成による両者の関係を、互いに逆の関係に改変することは通常試みることであり、上記した相違点(A-1)に係る設計の変更に伴って、引用発明１において、「係合部材」（「凸部」）の下面から「入賞装置」（「本体部」）の上面までと規定されていた縦方向寸法は、必然的に、「入賞装置」（「本体部」）の下面から「係合部材」（「凸部」）の上面までと規定されることとなるから、相違点(A-2)も単なる設計の変更にすぎない。
　　　　　　　　　　　　　　　　　　　　　　　　　　　　　　　　　
　相違点(B)について
　相違点(B)をさらにみると、本願発明も、引用発明１も、本体部が取付孔に挿入された場合、弾性変形可能な凸部の、本体部と取付孔との間に存在して取付孔の壁面より受ける押圧力で撓んでいた部分が、相手側部材の垂直面に至り、弾性的に復元して取付孔周りの相手側部材の垂直面の側に突出する膨出部を形成し、フランジと膨出部とが相手側部材を前後で挟み付ける形態となるのであるが、本願発明においては、上記「垂直面」が相手側部材の裏面であり、「凸部」は相手側部材の裏面に至って弾性的に復元して膨出部を形成し、膨出部が相手側部材の裏面に当接し、フランジと協同して相手側部材を前後で挟み付けるものであるのに対して、引用発明１においては、上記「垂直面」が「入賞装置１３」（「本体部」）の「取付孔３６」に設けた「段差部３７」であり、「係合部材２７」（「凸部」）は「遊技盤４」（「相手側部材」）の「取付孔３６」内部の「段差部３７」に至って弾性的に復元して膨出部を形成し、膨出部が上記「段差部３７」に当接し、「取付基板１６」（「フランジ」）と協同して「遊技盤４」（「相手側部材」）を前後で挟み付けるものである。
　そこで検討するに、引用発明２は、相手側部材である「遊技盤面板３１」に形成された「取付孔３２」に、「上板部５」を備えた本体部である「ランプ風車１」を、該「遊技盤面板３１」の前側から裏側に挿入して取付ける遊技部品において、「ランプ風車１」が「取付孔３２」に挿入された場合、「ランプ風車１」の「風車支持部２」を構成する円筒形状の「側壁板３」に設けた「突っ張り部１５」が「取付孔３２」の縁部に押し付けられ、「側壁板３」が弾性変形して半径方向へ撓み、弾性変形することで「遊技盤面板３１」を通り抜けた「逆止爪１７」は弾性復帰して常時の形状に戻り、「フランジ」である「上板部５」と協同して「遊技盤面板３１」を挟み込むものである。
　すなわち、弾性変形及び復帰が可能な上記「逆止爪１７」は、相手側部材である「遊技盤面板３１」の「垂直面」を構成する裏面に当接することで、「取付基板１６」（「フランジ」）と協同して「遊技盤４」（「相手側部材」）を前後で挟み付けるものであるから、同引用発明２は相違点(B)に係る構成を開示しており、引用発明１も、引用発明２も、本願発明と同様に本体部が前後で弾性的に挟み付けられて相手側部材に取付けられる遊技部品に関する発明である点で共通している。
　そうすると、引用発明１に、引用発明２が開示する上記の技術事項を適用し、「垂直面」を構成する「遊技盤４」（相手側部材）の裏面側において「係合部材２７」（凸部）を弾性的に復元させて、取付孔周りの「遊技盤４」（相手側部材）の裏面の側に突出する膨出部を形成し、「取付基板１６」（「フランジ」）と膨出部とが「遊技盤４」（相手側部材）を前後で挟み付ける形態とすることは、当業者にとって容易なことである。
　　　　　　　　　　　　　　　　　　　　　　　　　　　　　　　　　
　そして、相違点(A)及び(B)に係る発明特定事項を備えた本願発明の効果も、引用発明１及び引用発明２が本来奏する効果から当業者が予測しうる範囲内のものであって、格別顕著なものではない。
　したがって、本願発明は、引用発明１及び引用発明２に基いて当業者が容易に想到することができたものである。
　　　　　　　　　　　　　　　　　　　　　　　　　　　　　　　　　
【参考例】
参考例１：特開平１−２４４７７５号公報
　（第５頁右下欄第４−１１行、第３−５図）
　　　　　　　　　　　　　　　　　　　　　　　　　　　　　　　　　
参考例２：実願昭６２−６２７８０号（実開昭６３−１７２４７５号）の願　　　　　書に添付した明細書及び図面の内容を撮影したマイクロフィルム
　（第６頁第３行−第７頁第２行、第１−２図）
　　　　　　　　　　　　　　　　　　　　　　　　　　　　　　　　　
参考例３：特開平１０−１６５５８６号公報
　（段落【００１５】【００１６】、図９）
　　　　　　　　　　　　　　　　　　　　　　　　　　　　　　　　　
４．むすび
　以上のとおりであるから、本願発明は、特許法第２９条第２項の規定により特許を受けることができない。
　よって本願の他の請求項に係る発明について論じるまでもなく、結論のとおり審決する。